(57)【要約】  本開示は、光源と、光源に電力を供給するための電源と、光源を保持するように適合されるシャーシとを有するヘッドランプであって、シャーシは、弾性的に可撓性のある材料から形成される本体内に受容可能であり、本体は、装着者の頭部に固定されるように適合されるヘッドランプを提供する。【選択図】  図９Ａ
2021523533.tif 000002
【特許請求の範囲】
【請求項１】
光源と、
前記光源に電力を供給するための電源と、
前記光源を保持するように適合されるシャーシであって、弾性的に可撓性のある材料から形成される本体内に受容可能であり、前記本体が、装着者の頭部に固定されるように適合されるシャーシと、を有するヘッドランプ。
【請求項２】
前記本体は、前記装着者の頭部を少なくとも部分的に取り囲むことによって、前記装着者の頭部に固定されるように適合される、請求項１に記載のヘッドランプ。
【請求項３】
前記シャーシは、前記光源および前記電源を収容するための内部空隙を有するケーシングを規定する、請求項１または２に記載のヘッドランプ。
【請求項４】
前記ケーシングは、前記本体に規定されるキャビティ内に取り外し可能に受容可能である、請求項３に記載のヘッドランプ。
【請求項５】
前記キャビティは、前記本体に規定される開口部によってアクセス可能である、請求項４に記載のヘッドランプ。
【請求項６】
前記ケーシングの断面は、前記開口部よりも大きく、それにより、前記開口部に隣接する前記本体の部分が前記ケーシングを前記キャビティ内に解除可能に固定するように作用する、請求項５に記載のヘッドランプ。
【請求項７】
前記キャビティは、前記ケーシングの形状および寸法に類似するように成形および寸法決めされる、請求項５または６に記載のヘッドランプ。
【請求項８】
前記ケーシングの後面は、前記開口部の形状および寸法に類似するように成形および寸法決めされる突出部を含み、それにより、前記ケーシングが前記キャビティ内に配置されるときに、前記突出部は、前記開口部を閉じる、請求項５〜７のいずれか１項に記載のヘッドランプ。
【請求項９】
前記シャーシは、前記光源を収容するための内部空隙を有するケーシングを規定する、請求項１または２に記載のヘッドランプ。
【請求項１０】
前記ケーシングは、前記光源からの熱を除去するように構成されるヒートシンクを含む、請求項９に記載のヘッドランプ。
【請求項１１】
前記ケーシングは、前記光源から発せられる光の方向が選択的に調整可能であるように、前記本体の一部に対して旋回可能である、請求項９または１０に記載のヘッドランプ。
【請求項１２】
前記ケーシングは、その両側で、前記本体内に配置されるそれぞれのアームに旋回可能に接続される、請求項１１に記載のヘッドランプ。
【請求項１３】
各アームの端部は、前記アームに対して前記ケーシングの位置を解除可能に設定し係止するように、前記ケーシングに設けられる複数の凹部のうちの１つ内に着座するように構成される突起を含む、請求項１２に記載のヘッドランプ。
【請求項１４】
前記複数の凹部のうちの１つから前記複数の凹部のうちの隣接する１つへ前記突起を移動させ、それによって前記アームに対する前記ケーシングの位置を調整するために最小の力が必要とされるように、前記突起は、弾性的に可撓性を有する、請求項１３に記載のヘッドランプ。
【請求項１５】
前記ケーシングは、前記アームに対して約±２０°まで旋回可能である、請求項１２〜１４のいずれか１項に記載のヘッドランプ。
【請求項１６】
前記電源は、前記本体に取り外し可能に取り付け可能である、請求項９〜１５のいずれか１項に記載のヘッドランプ。
【請求項１７】
前記電源は、前記本体内に配置される１以上の導体に電気的に接続するように構成される電気的接続を含み、前記１以上の導体は、前記本体内に延び、前記電源から前記光源に電気エネルギーを提供するように前記光源に電気的に接続される、請求項９〜１６のいずれか１項に記載のヘッドランプ。
【請求項１８】
前記電源は、前記ヒートシンクと前記電源との間に空間があるように、前記ヒートシンクに概ね隣接する前記本体に取り付け可能であり、前記空間は、前記ヒートシンクを冷却するために前記ヒートシンクの上を空気が流れることを可能にする、請求項１０に従属する場合の請求項１６または１７に記載のヘッドランプ。
【請求項１９】
前記本体は、前記本体によって規定されるループの円周を選択的に調整するように構成される調整機構を含み、前記ループは、前記本体を前記装着者の頭部に固定するように、前記装着者の頭部を少なくとも部分的に取り囲むように構成される、先行する請求項のいずれか１項に記載のヘッドランプ。
【請求項２０】
光源と、
前記光源に電力を供給するための電源と、
前記光源および前記電源を保持するように適合されるシャーシであって、装着者の頭部に固定されるように適合される本体を形成するために、弾性的に可撓性のある材料でオーバーモールドされるシャーシと、を有するヘッドランプ。
【請求項２１】
前記本体は、前記装着者の頭部を少なくとも部分的に取り囲むことによって、前記装着者の頭部に固定されるように適合される、請求項２０に記載のヘッドランプ。
【請求項２２】
前記本体は、第１の開放構成と第２の閉鎖構成との間で選択的に再構成可能であり、前記閉鎖構成では、前記本体は、ループ状であり、前記開放構成では、前記本体は、全体的な形状が細長く、第１の端部および第２の対向する端部を含み、前記第１の端部は、前記第２の端部に解除可能に接続可能である、請求項２０または２１に記載のヘッドランプ。
【請求項２３】
前記第１の端部は、コネクタ要素を含み、前記第２の端部は、前記本体の前記閉鎖構成において前記コネクタ要素を受容するように構成されるレセプタクルを含む、請求項２２に記載のヘッドランプ。
【請求項２４】
前記コネクタ要素は、電源から電力を受け取り、それによって前記電源を再充電するように構成される充電コネクタである、請求項２３に記載のヘッドランプ。
【請求項２５】
前記コネクタ要素は、前記シャーシから延びる、請求項２３または２４に記載のヘッドランプ。
【請求項２６】
前記本体は、前記閉鎖構成において前記本体によって規定されるループの円周を選択的に調整するように構成される調整機構を含む、請求項２２〜２５のいずれか１項に記載のヘッドランプ。
【請求項２７】
前記光源は、１以上の発光ダイオード（ＬＥＤ）を有する、先行する請求項のいずれか１項に記載のヘッドランプ。
【請求項２８】
前記１以上のＬＥＤは、前記シャーシに取り付けられる１以上の光学素子を介して光を放射する、請求項２７に記載のヘッドランプ。
【請求項２９】
前記本体は、前記光源を制御するように構成される１以上の選択的に作動可能なボタンを含む、請求項２７または２８に記載のヘッドランプ。
【発明の詳細な説明】
【技術分野】
【０００１】
発明の分野
本発明は、人の頭部に固定されるように適合される（ヘッドトーチとしても知られている）ヘッドランプに関する。本発明は、特定の使用分野に限定されるべきではないが、典型的には、このようなヘッドランプは、自転車に乗ること、ランニング、ハイキング、および他の同様の活動など、弱光において活動を行うときに利用される。
【０００２】
発明の背景
ヘッドランプ（またはヘッドトーチ）は、広く知られており、視認性を向上させるために弱光環境で使用されている。例えば、ヘッドランプは、自転車に乗っているとき、ランニングしているとき、ハイキングしているとき、読書しているとき、あるいは照明を増やしたいときはいつでも、装着されてもよい。
【０００３】
ヘッドランプは、一般的に、細長い可撓性ストラップと、ストラップに固定可能な別個の本体とを有し、本体は、光源および電源を収容する。典型的には、光源は、小さなライトグローブまたは１以上の発光ダイオード（ＬＥＤ）を有し、電源は、１以上の交換可能な電池または再充電式電池を有する。そのようなヘッドランプの１つは、米国特許公報第２００６／００８７８４２号に開示されている。
【０００４】
本発明の目的は、従来の公知のヘッドランプと比較したときに、設計において審美的に満足のいく代替的なヘッドランプを提供すること、あるいは消費者にとって有用な代替的な選択肢を少なくとも提供することである。
【０００５】
本明細書におけるいかなる先行技術への言及も、この先行技術が任意の法域における共通の一般的な知識の一部を形成すること、あるいは、この先行技術が、合理的に理解されることが期待され、関連性があると見なされること、および／または、当業者によって他の先行技術と組み合わされ得ることを承認または提案するものではない。
【発明の概要】
【０００６】
第１の態様では、本発明は、
光源と、
光源に電力を供給するための電源と、
光源および電源を保持するように適合されるシャーシであって、装着者の頭部に固定されるように適合される本体を規定するために、弾性的に可撓性のある材料でオーバーモールドされるシャーシと、を有するヘッドランプを提供する。
【０００７】
好ましくは、本体は、装着者の頭部を少なくとも部分的に取り囲むことによって、装着者の頭部に固定されるように適合される。
【０００８】
本体は、第１の開放構成と第２の閉鎖構成との間で選択的に再構成可能であってもよい。閉鎖構成において、本体は、好ましくは、装着者の頭部に固定できるように、装着者の頭部を取り囲むことができるループ状である。開放構成では、本体は、好ましくは、全体的な形状が細長く、第１の端部と第２の対向する端部とを含む。代替の実施形態では、本体は、単一の連続的な閉ループとして形成されてもよく、閉ループは、本体が第１および第２の端部を有する開放構成に再構成可能ではない。
【０００９】
選択的に再構成可能な本体を有する実施形態では、本体の第１および第２の端部は、好ましくは、本体の第２の閉鎖構成を規定するように、互いに選択的に接続可能である。第１の端部は、コネクタ要素を含んでもよく、第２の端部は、本体の閉鎖構成においてコネクタ要素を受容するように構成されるレセプタクルを含んでもよい。好ましくは、レセプタクルからコネクタ要素を解除するために、解除機構は、選択的にトリガ可能である。コネクタ要素は、シャーシに取り付けられてもよく、またはシャーシの一部と一体に形成されてもよく、シャーシから延びてもよい。
【００１０】
コネクタ要素は、外部電源から電力を受け取り、それによって電源を再充電するように構成される充電コネクタであってもよい。充電コネクタは、ＵＳＢ−ＡコネクタなどのＵＳＢコネクタであってもよい。したがって、コネクタ要素は、電気接点が取り付けられた基板を有してもよい。
【００１１】
本体は、好ましくは、本体が種々の異なる頭部サイズに固定されるように適合されるように、本体のサイズを微調整するために選択的に調整可能である調整機構を含む。好ましくは、調整機構は、閉鎖構成において本体によって規定されるループの長さ（または円周）を調整するように構成される。調整機構は、本体の第１および第２の端部から分離されてもよい。本体は、ストラップ部分を含むことができ、調整機構は、ストラップ部分に係合し、かつコネクタ（複数可）とストラップ部分との間の摩擦係合によって本体の長さを設定する１以上のコネクタを有してもよい。代替的に、調整機構は、本体の長さを設定するために、ストラップ部分において１以上の開口部のそれぞれにおいて受容可能な１以上のポストを含んでもよい。さらに代替的に、調整機構は、本体の長さを設定するためにストラップ部分と係合するように構成される１以上の留め金、バックル、クリップ、クランプ、または他の留め具を含んでもよい。
【００１２】
シャーシは、好ましくは、ケーシングを規定する。ケーシングは、光源および電源を受けて収容するための内部空隙を形成してもよい。ケーシングはまた、コネクタ要素を形成してもよい。シャーシまたはケーシングは、装着者の額の湾曲に近似するように、長手軸を中心に湾曲させてもよい。
【００１３】
光源は、好ましくは、１以上の発光ダイオード（ＬＥＤ）である。光源は、シャーシの一部を形成するために、ケーシングに好ましくは取り付けられる１以上の光学素子を通して光を放射してもよい。１以上の光学素子は、放射される光の特性を調整するために、例えばスイッチを介して、装着者によって要望通りに切り替え可能または交換可能であってもよい。１以上の光学素子は、１以上のレンズであってもよい。１以上のレンズは、ホログラフィックフィルムと組み合わせてもよいレンチキュラーレンズであってもよい。
【００１４】
一実施形態では、光源は、主要な「スポットライト」ＬＥＤとして構成される第１のＬＥＤと、「広角」ＬＥＤとして構成される第２の一対のＬＥＤと、装着者の自然な暗視能力を妨げない赤色ＬＥＤとして構成される第３のＬＥＤとを有する第１の組のＬＥＤを有する。光源はまた、第１のＬＥＤよりも比較的低い輝度の４つの「読書灯」ＬＥＤを有し、かつ装着者が読書することを補助するように構成される第２の組のＬＥＤセットを有してもよい。第１の組のＬＥＤは、本体の前面から照明を提供するように、シャーシに取り付けられてもよい。第２の組のＬＥＤは、本体の下部前面から前面の概ね下方に照明を提供するように、シャーシに取り付けられてもよい。
【００１５】
ケーシングは、好ましくは、本体の前面に配置される第１の開口部を含み、これは、光学素子を受容することができ、第１の組のＬＥＤは、好ましくは、第１の開口部を通して光を放射する。ケーシングはまた、好ましくは、本体の下部前面に配置される第２の開口部を含み、これは、別の光学素子を受容することができ、第２の組のＬＥＤは、好ましくは、第２の開口部を通して光を放射する。これらの開口部は、弾性的に可撓性のある材料によってオーバーモールドされない。
【００１６】
本体は、好ましくは、光源を作動させるように構成される１以上の選択的に作動可能なボタンを含む。１以上のボタンは、シャーシに取り付けられてもよい。一実施形態では、光源をオン／オフに切り替えるように構成される第１のボタンと、光源が第１のボタンによってオンに切り替えられたときに光源の複数の動作モードを循環的に切り替えるように構成される第２のボタンとがあってもよい。光源の複数の動作モードは、第１のＬＥＤのみが第１の輝度レベルで照明される第１のモードと、第１のＬＥＤのみが第１の輝度レベルよりも比較的明るい第２の輝度レベルで照明される第２のモードと、第１のＬＥＤのみが第２の輝度レベルよりも比較的明るい第３の輝度レベルで照明される第３のモードと、第２の一対のＬＥＤのみが照明される第４のモードと、第３のＬＥＤのみが照明される第５のモードと、第２の組のＬＥＤのみが照明される第６のモードとを含んでもよい。第１および／または第２のボタンは、本体の前面に配置されてもよい。あるいは、第１および／または第２のボタンは、本体の上面または本体の下面に配置されてもよい。複数の動作モードはまた、例えば、第１および／または第２のボタンを押して一時的に保持することによってトリガされてもよい。
【００１７】
電源は、シャーシに取り付けられてもよく、あるいはシャーシに一体化されてもよい。電源は、好ましくは、１以上のリチウムイオン電池またはリチウムポリマー電池などの１以上の再充電式電池である。１以上の電池は、湾曲してもよい。電源は、ヘッドランプから取り外し可能または取り外し不可能であってもよい。
【００１８】
本体を規定する弾性的に可撓性のある材料は、好ましくはシリコーンゴムである。材料は、本体の一部の周りに延びる基板、例えば伸縮性布帛上に成形されてもよい。シリコーンゴムは、半透明および／または透明であってもよく、あるいは半透明および／または透明部分を含んでもよい。有利には、この実施形態では、光源は、本体の半透明および／または透明部分を通して光を導くように構成されてもよい。好ましくは、半透明および／または透明部分は、ヘッドランプが装着者に対して側方および／または後方照明を提供するように、本体の周りに配置されてもよい。光源は、光源からの光を本体の半透明および／または透明部分に向けるように構成される１以上のライトパイプを含んでもよい。
【００１９】
本体は、本体の他の部分と比較したときに異なる硬度を有するように形成される１以上の部分を含んでもよい。例えば、シャーシの周りに配置される本体の部分は、第１の硬度を有するように形成されてもよく、シャーシの周りに配置されない本体の部分は、第２の硬度を有するように形成されてもよく、第１の硬度は、第２の硬度よりも大きい。例えば、第１の硬度は、６０ショアＡであってもよく、第２の硬度は、４０ショアＡであってもよい。有利には、これは、シャーシの周りに配置される本体の部分が比較的剛性であることを可能にし、シャーシの周りに配置されない本体の他の部分が比較的剛性が低い（すなわち、より可撓性である）ことを可能にし、それによって、装着者にとって比較的より快適となる。
【００２０】
第２の態様では、本発明は、
光源と、
光源に電力を供給するための電源と、
光源および電源を保持するように適合されるシャーシであって、弾性的に可撓性のある材料から形成される本体内に受容可能であり、前記本体が、装着者の頭部に固定されるように適合されるシャーシと、を有するヘッドランプを提供する。
【００２１】
シャーシは、好ましくは、光源および電源を収容するための内部空隙を有するケーシングを規定する。
【００２２】
ケーシングは、好ましくは、本体に規定されるキャビティ内に受容可能である。ケーシングは、例えば、ケーシングがキャビティから取り外されたときに電源の再充電を可能にするために、キャビティ内に取り外し可能に受容可能であってもよい。有利には、ケーシングは、代替ケーシングをキャビティ内に受容することが可能となるように、取り外し可能に受容可能であってもよい。代替ケーシングは、例えば、異なる光源および／または電源を含んでもよい。異なる光源は、例えば、ＬＥＤの異なる配置を有してもよい。代替の実施形態では、ケーシングは、例えば、接着剤を使用することによって、キャビティ内に取り外し不可能に固定することができる。
【００２３】
キャビティは、好ましくは、本体に規定される開口部によってアクセス可能である。ケーシングの断面は、好ましくは、開口部よりも大きく、それにより、開口部に隣接する本体の部分がケーシングをキャビティ内に解除可能に固定するように作用する。好ましくは、キャビティは、ケーシングの形状および寸法に類似するように成形および寸法決めされる。ケーシングの後面は、開口部の形状および寸法に類似するように成形および寸法決めされる突出部を含んでもよく、それにより、ケーシングがキャビティ内に配置されるときに突出部が開口部を閉じる。
【００２４】
第３の態様では、本発明は、
光源と、
光源に電力を供給するための電源と、
光源を保持するように適合されるシャーシであって、装着者の頭部に固定されるように適合される本体を規定するために、弾性的に可撓性のある材料でオーバーモールドされるシャーシと、を有するヘッドランプを提供する。
【００２５】
電源は、本体に取り付けられてもよく、電源を光源に電気的に接続する電気的接続を含んでもよい。電気的接続は、電源から光源まで延びる１以上の導体を有してもよい。１以上の導体は、本体上または本体内に配置されてもよい。
【００２６】
第４の態様では、本発明は、
光源と、
光源に電力を供給するための電源と、
光源を保持するように適合されるシャーシであって、弾性的に可撓性のある材料から形成される本体内に受容可能であり、前記本体が、装着者の頭部に固定されるように適合されるシャーシと、を有するヘッドランプを提供する。
【００２７】
シャーシは、好ましくは、本体に規定されるキャビティ内に受容可能である。シャーシは、キャビティ内に取り外し可能に受容可能であってもよい。
【００２８】
シャーシはまた、光源からの熱を除去または分散するように構成されるヒートシンクを含んでもよい。シャーシは、好ましくは、光源およびヒートシンクを含むケーシングを規定する。シャーシまたはケーシングは、光源から発せられる光の方向が選択的に調整され得るように、本体の一部に対して旋回可能であってもよい。好ましくは、光源の方向は、装着者によって選択的に手動で調整される。
【００２９】
シャーシまたはケーシングは、好ましくは、その両側で、本体内に配置されるそれぞれのアームに回転可能または旋回可能に接続される。アームは、好ましくは、本体内に固定される。各アームの端部は、アームに対してシャーシまたはケーシングの位置を解除可能に設定および係止するように、シャーシまたはケーシングに設けられる複数の相補的な凹部のうちの１つに着座するように構成される突起または戻り止めを含んでもよい。突起または戻り止めを複数の凹部のうちの１つから複数の凹部のうちの隣接する１つに移動させ、それによってアームに対するシャーシまたはケーシングの位置を調整するために最小限の力が必要とされるように、突起または戻り止めは、概ね弾性的に可撓性である。
【００３０】
有利には、本体の弾性的に可撓性のある性質により、シャーシまたはケーシングは、装着者の頭部の周りに配置される本体のフィット感および感触に著しい影響を及ぼすことなく、アームに対して約±２０°まで旋回させることができる。
【００３１】
電源は、本体に取り外し可能に取り付け可能であってもよい。電源は、電源を光源に電気的に接続するように構成される電気的接続を含む。電気的接続は、好ましくは、電源から光源に電気エネルギーを提供するように、本体内に延び、かつ光源に電気的に接続される１以上の導体を電気的に接続する。電源は、本体の任意の部分に取り付けられてもよい。例えば、電源は、ヘッドランプを装着するときに、電源が装着者の頭部の後面に概ね隣接して配置されるように、本体の後部に取り付けられてもよい。代替的に、電源は、ヒートシンクに概ね隣接して取り付けられてもよく、好ましくは、空気がヒートシンクの上を流れてヒートシンクを冷却するようにヒートシンクと電源との間に空間があるようにしてもよい。
【００３２】
本発明の第１、第２、第３、および第４の態様によるヘッドランプはまた、本発明の任意の他の態様に関連して上述した特徴のうちのいずれか１つまたは複数を含んでもよい。
【００３３】
文脈が他のことを必要とすることを除けば、本明細書において使用される場合、用語「有する（ｃｏｍｐｒｉｓｅ）」、ならびにその用語の変形、例えば「有する（ｃｏｍｐｒｉｓｉｎｇ）」、「有する（ｃｏｍｐｒｉｓｅｓ）」、および「有した（ｃｏｍｐｒｉｓｅｄ）」は、さらなる追加物、構成要素、整数またはステップを排除することを意図するものではない。
【００３４】
本発明のさらなる態様および先の段落において説明された態様のさらなる実施形態は、例として与えられ、添付の図面を参照する以下の説明から明らかになるであろう。
【図面の簡単な説明】
【００３５】
図１は、本発明の一実施形態によるヘッドランプの斜視図である。
図２は、図１のヘッドランプの別の斜視図である。
図３は、開放構成における図１のヘッドランプの別の斜視図である。
図４Ａは、図１のヘッドランプの後方分解図である。
図４Ｂは、図１のヘッドランプの前方分解図である。
図５Ａは、図１のヘッドランプの特定の構成要素の拡大後方分解図である。
図５Ｂは、正面から見た図５Ａと同様である。
図６Ａは、図１のヘッドランプの両端を接続するコネクタの拡大図である。
図６Ｂは、反対側から見た図６Ａと同様である。
図７Ａは、第１の長さに設定された調整機構を示す、図１のヘッドランプの後方斜視図である。
図７Ｂは、図７Ａと同様であるが、調整機構は、第１の長さとは異なる第２の長さに設定されている。
図８Ａは、本発明の代替の実施形態によるヘッドランプの斜視図である。
図８Ｂは、図８Ａと同様であるが、シャーシは、本体から取り外されている。
図８Ｃは、図８Ｂと同様であるが、後方から見た図である。
図８Ｄは、図８Ｂおよび８Ｃに示されるシャーシの分解図である。
図９Ａは、本発明のさらなる代替の実施形態によるヘッドランプの斜視図である。
図９Ｂは、図９Ａのヘッドランプの別の斜視図である。
図１０Ａは、図９Ａのヘッドランプの分解図である。
図１０Ｂは、図１０Ａと同様であるが、正面から見た図である。
図１１Ａは、図９Ａのヘッドランプの後方斜視図であるが、電源は、本体から取り外されている。
図１１Ｂは、図１１Ａと同様であるが、電源は、本体に取り付けられている。
図１２は、シャーシの対向する長手方向端部に接続されたアームを示す、シャーシの拡大斜視図である。
図１３は、図１２と同様であるが、シャーシとアームのうちの１つとの間の接続を示す部分断面図である。
図１４Ａは、図１２と同様であるが、アームに対して第１の位置にあるシャーシを示す側面図である。
図１４Ｂは、図１４Ａと同様であるが、アームに対して第２の位置に旋回されたシャーシを示す。
【発明を実施するための形態】
【００３６】
実施形態の詳細な説明
本明細書において開示されて規定された本発明は、本文または図面から明らかであるかまたは言及された個々の特徴の２以上の別の組み合わせの全てに及ぶことが理解されるであろう。これらの異なる組み合わせの全ては、本発明の様々な別の態様を構成する。
【００３７】
図１および図２を参照すると、本発明の一実施形態によるヘッドランプ１０が示されている。ヘッドランプ１０は、視認性を向上させるために、弱光環境において装着者によって装着されてもよい。例えば、ヘッドランプ１０は、自転車に乗っているとき、ハイキングしているとき、読書しているとき、あるいは照明を増やしたいときはいつでも、装着者によって装着されてもよい。
【００３８】
ヘッドランプ１０は、シリコーンゴムの形態の弾性的に可撓性のある材料から形成される本体１２を有する。しかしながら、当業者は、弾性的に可撓性のある本体または材料の組み合わせを形成するために、種々の他の材料を使用してもよいことを理解するのであろう。有利には、本体１２は、装着者によって装着されたときに、装着者の頭部を少なくとも部分的に取り囲むことによって、装着者の頭部に固定されるように適合される。
【００３９】
本体１２は、装着者によって、第１の開放構成（図３）と第２の閉鎖構成（図１および図２）との間で選択的に再構成可能である。閉鎖構成では、本体１２は、摩擦嵌めによって装着者の頭部に固定可能となるように、装着時に装着者の頭部を取り囲むように適合される閉ループ状である。開放形態では、本体１２は、全体的な形状が細長く見え、少なくとも第１の端部３０と、第２の反対側の端部３２とを含む（図３）。第１および第２の端部３０、３２は、図１および図２に示されるように、ループ状の本体１２の第２の閉鎖構成を規定するように、互いに選択的に接続可能である。
【００４０】
本体１２は、装着者の希望に応じて、開放構成（図３）と閉鎖構成（図１および図２）との間で再構成されてもよい。有利には、ヘッドランプ１０は、開放構成または閉鎖構成のいずれかで着用されてもよい。開放構成では、以下でより詳細に論じるように、ヘッドランプ１０の電源１８を再充電することもできる。閉鎖構成におけるヘッドランプ１０を着用するとき、装着者は、本体１２が摩擦嵌めによって装着者の頭部の周りに快適に固定されるまで本体１２を単に引き下げてもよく、これは、本体１２の弾性的に可撓性のある性質により可能である。開放構成におけるヘッドランプ１０を着用するとき、装着者は、装着者の頭部を少なくとも部分的に取り囲むように装着者の頭部の周りに本体１２の少なくとも一部を配置して、その後、本体１２が摩擦嵌めによって装着者の頭部の周りに固定される閉ループ状の閉鎖構成に再構成されるように、本体１２の第１および第２の端部３０、３２を接続してもよい。以下に記載されるように、本体１２はまた、本体１２が種々の異なる頭部サイズに固定されるように適合されるように、本体１２のサイズを微調整するために、装着者によって選択的に調整可能である調整機構を含む。
【００４１】
図３および図６Ａ、図６Ｂを参照すると、本体１２の第１の端部３０は、本体１２の第２の端部３２内に配置される相補的なレセプタクル４２内に解除可能に受容されるコネクタ要素４０を含む。図６Ａに示されるように、コネクタ要素４０は、断面が概ね矩形の本体４４を有し、第１の端部３０に取り付けられ、それから本体１２の長手軸方向の外方に延びている。レセプタクル４２は、コネクタ要素４０の断面に相補的な概ね矩形の断面を含む。
【００４２】
レセプタクル４２に加えて、本体１２の第２の端部３２は、突出ピン５０を含む。突出ピン５０は、本体１２の第２の端部３２から、第２の端部３２において本体の長手軸に概ね平行な方向の外方に突出する。突出ピン５０は、円形の断面を有する。本体１２が閉鎖構成にあるとき、突出ピン５０は、本体１２の第１の端部に配置される相補的な概ね円形の凹部（図示せず）内に配置される。
【００４３】
上記で説明したように、本体の第１および第２の端部３０、３２は、図１および図２に示される本体の第２の閉鎖構成を規定するために、コネクタ要素４０を介して互いに選択的に接続可能である。コネクタ要素４０は、閉鎖構成においてレセプタクル４２内に解除可能に接続および固定され、選択的にトリガ可能な解除機構を介して解除されてもよい。最初に、コネクタ要素４０は、レセプタクル４２内に配置される弾力的に可撓性のある矩形のタブ５４（図６Ｂ）を介して、レセプタクル４２内に解除可能に固定される。弾性的に可撓性のあるタブ５４は、相補的な概ね矩形の凹部５８（図６Ａ）内に係合するように適合される概ね矩形の戻り止め５６を有する。凹部５８は、コネクタ要素４０がレセプタクル４２内に受容されるとき、下面に配置される。押しボタン６０の形態の選択的に作動可能なトリガは、本体１２の第２の端部３２の、レセプタクル４２に概ね隣接する外面に配置される。本体１２が閉鎖構成にあるとき、押しボタン６０をレセプタクル４２に向かって内側に押して、これにより弾性的に可撓性のあるタブ５４の少なくとも一部をコネクタ本体４４から離れるように旋回させることができる。これは、凹部５８内の係合を解除するように戻り止め５６を旋回させる。戻り止め５６が凹部５８から取り外されると、コネクタ本体４４は、引っ張ることによってレセプタクル４２から取り外すことができ、その後、本体１２は、第１の開放構成に再構成される。
【００４４】
有利には、コネクタ要素４０は、ＵＳＢコネクタ本体４４と、電気接点４８を有する基板４６とを含むＵＳＢ?Ａコネクタの形態の充電コネクタである（図６Ｂ）。ＵＳＢコネクタ本体４４は、外部電源（図示せず）から電力を受け取り、それによって電源１８を再充電するように、本体１２の開放構成において、外部電源に解除可能に接続されるように構成される。電源１８はまた、ＵＳＢコネクタ４０に接続される。したがって、ＵＳＢコネクタ４０は、装着者の頭部の周りに固定されるように適合される閉ループ状の本体の閉鎖構成を形成するために、装着者の希望に応じて、電源１８を再充電し、本体１２を閉じるという二重の機能を有利に実行する。
【００４５】
ヘッドランプ１０は、本体１２内に配置され、かつ、光源１６と、光源１６に電力を供給するための電源１８とを保持するように適合されるシャーシ１４（図５Ａおよび図５Ｂ）をさらに有する。シャーシ１４は、湾曲した側面を有するほぼ台形の断面を有する剛性のケーシング２０を含む。ケーシング２０はまた、装着者の額の湾曲に近似するように、長手軸に沿ってわずかに湾曲している。ケーシング２０は、光源１６および電源１８が受容され、取り付けられる内部空隙を作り出すための後部開口部２２を有する。ケーシング２０はまた、コネクタ本体４４を形成する。シャーシ１４はまた、後述する基板４６およびレンズを含む。
【００４６】
図示されている実施形態では、シャーシ１４は、弾性的に可撓性のあるシリコーンゴムでオーバーモールドされて、装着者の頭部に固定されるように適合される本体１２を規定する。オーバーモールディング後に、シャーシ１４は、本体１２に対して一体となり、取り外し不可能となる。代替の実施形態では、シャーシ１４は、代替的に、本体１２に規定されるキャビティ内に取り外し可能に受容されてもよく、あるいは接着剤によってキャビティ内に固着されてもよい。いずれの実施形態においても、特に図１および図２を参照すると、本体１２は、全体的な形状が滑らかで流線形であり、先行技術の設計（上述の米国特許公報物第２００６／００８７８４２号など）で一般的であるような、例えば、突出した光源を含まない。有利には、光源１６、電源１８、および以下に説明する種々の他の部品は全て、装着者の頭部に固定されるように適合される弾性的に可撓性のある本体１２内に配置される。
【００４７】
図５Ｂを参照すると、ケーシング２０は、第１のレンズ配列７４が受容され取り付けられる前面７２における前面開口部７０を含む。ケーシング２０はまた、前面７２の概ね下方の下部前面７８において下部前面開口部７６を含む。第２のレンズ配列８０は、下部前面開口部７６に受容され取り付けられる。第１および第２のレンズ配列７４、８０は、以下に説明する方法で光源１６からの光を屈折させるように構成される。本体１２はまた、その前面において前面開口部２０ａと、その下部前面において下部前面開口部２０ｂ（図４Ａ）とを含み、開口部２０ａ、２０ｂは、ケーシング２０に規定される前面開口部７０、７６（図５Ｂ）の形状および寸法にそれぞれ一致するように成形および寸法決めされる。
【００４８】
光源１６に電力を供給するための電源１８（図５Ａ）は、再充電式リチウムポリマー電池の形態であってもよい。しかしながら、当業者は、リチウムイオン電池などの代替の再充電式電池もまた、光源１６に電力を供給するのに適していることを理解するのであろう。
【００４９】
光源１６は、複数の発光ダイオード（ＬＥＤ）を有する。具体的には、光源１６は、第１のプリント回路基板（ＰＣＢ）８４上に配置される第１の組のＬＥＤ８２（図５Ｂ）を有する。第１のＰＣＢ８４は、第１の組のＬＥＤ８２が第１のレンズ配列７４を通して光を放射するように、ケーシング２０内に受容され、それに取り付けられる。第２のＰＣＢ８８上に配置される第２の組のＬＥＤ８６（図５Ｂ）もある。第２のＰＣＢ８８は、第２の組のＬＥＤ８６が第２のレンズ配列８０を通して光を放射するように、ケーシング２０内に受容され、それに取り付けられる。
【００５０】
図５Ｂを参照すると、第１の組のＬＥＤ８２は、直接前方を照明するための主要な「スポットライト」ＬＥＤである第１のＬＥＤ９０を有する。また、周辺光を提供するための「広角」ＬＥＤとして動作する第２の一対のＬＥＤ９２もある。第３のＬＥＤ９４は、赤色ＬＥＤとして構成され、これは、装着者の自然な暗視能力を妨げないように使用することができる。この第１の組のＬＥＤ８２は、本体１２の前面における前面開口部２０ａ内の第１のレンズ配列７４を通して光を放射する。
【００５１】
第２の組のＬＥＤ８６は、４つの「読書光」ＬＥＤ９６を有する。これらは、装着者が読書するのを助けるために、比較的低い輝度である。第２の組のＬＥＤ８６は、本体１２の下部前面の下部前面開口部２０ｂにおける第２のレンズ配列８０を通して光を放射する。本体１２の下部前面は、４つの「読書光」ＬＥＤ９６が装着者にとって自然な読書位置において下方に集束光を放射するように、概ね下方かつ前方に角度が付けられている。
【００５２】
また、シャーシ１４に取り付けられ、本体１２の外面を通して押し下げることができるのは、電源１８を介して光源１６を作動させ制御するように構成される第１および第２の選択的に作動可能なボタン１００、１０２（図２）である。第１および第２のボタン１００、１０２は、第１のボタン１００が前面開口部２０ａの第１の側に配置され、第２のボタン１０２が前面開口部２０ａの第２の反対側に配置されるように、本体１２の前面に配置される。第１のボタン１００は、光源１６をオン／オフに切り替えるように構成され、第２のボタン１０２は、光源１６が第１のボタン１００によってオンに切り替えられたときに、光源１６の複数の動作モードを循環的に切り替えるように構成される。
【００５３】
光源１６の複数の動作モードは、第１のＬＥＤ９０のみが第１の輝度レベルで照明される第１のモードと、第１のＬＥＤ９０のみが第１の輝度レベルよりも比較的明るい第２の輝度レベルで照明される第２のモードと、第１のＬＥＤ９０のみが第２の輝度レベルよりも比較的明るい第３の輝度レベルで照明される第３のモードと、第２の一対の「広角」ＬＥＤ９２のみが照明される第４のモードと、第３の赤色ＬＥＤ９４のみが照明される第５のモードと、４つの「読書光」ＬＥＤ９６のみが照明される第６のモードとを含む。
【００５４】
本体１２はまた、本体１２が種々の異なる頭部サイズに固定されるように適合されるように、本体１２のサイズを微調整するために選択的に調整可能である調整機構を含む。以下に記載されるように、調整機構は、閉鎖構成において本体によって規定される閉ループの長さ（または円周）を調整するように構成される。
【００５５】
最初に図４Ａを参照すると、本体１２の第１の長さ部分１１０は、第１の端部３０から延び、第１の概ねＹ字型のコネクタ１１２で終端する半ループをおよそ規定することが分かる。本体１２の第２の長さ部分１１４は、第２の端部３２から延び、第２の概ねＹ字型のコネクタ１１６で終端する別の半ループをおよそ規定する。
【００５６】
ここで、ヘッドランプ１０の構成について説明する。基板４６は、ＵＳＢコネクタ本体４４に取り付けられ、第１および第２のレンズ配列７４、８０は、筐体２０に挿入され、シャーシ１４を形成する。次に、シャーシおよびコネクタ１１２は、モールド内で離間され、弾性的に可撓性のあるシリコーンゴムでオーバーモールドされ、本体１２の第１の部分１１０を形成する。オーバーモールディング後に、第１および第２のＰＣＢ８４、８８は、それぞれ第１および第２の組のＬＥＤ８２、８６を含み、次いで、再充電式電池１８は、オーバーモールディングプロセス中に形成される後部開口部１３（図４Ａ）を介してケーシング２０に取り付けられる。その後、後部開口部１３は、硬質プラスチックから形成され、かつ接着剤によって適所に固定される後部パネル１５によって閉じられる。代替的に、後部パネル１５は、シリコーン層でオーバーモールドされ、次いで、接着剤、またはネジまたはスナップファスナなどの他の留め具によって適所に固定されてもよい。後部パネル１５は、概ね矩形の断面を有し、その長手軸に沿ってわずかに湾曲している。後部パネル１５は、好ましくは、後部開口部１３を閉じるために、超音波溶接または接着剤によって本体１２に固定される。図には示されていないが、後部パネル１５は、後部パネル１５と装着者の額との間に配置されるように、外面上に配置される比較的柔らかいパッドを含んでもよい。柔らかいパッドは、熱絶縁性であってもよく、装着者に快適性を提供することができる。第２の部分１１４は、レセプタクル４２を形成するインサートを他のＹ字型のコネクタ１１６から離して間隔をあけることによっても形成される。これらの部分は、弾性的に可撓性のある材料でオーバーモールドされて、本体の第２の部分１１４を形成する。
【００５７】
ここで、図２、図３、および図４Ｂを参照すると、第１のＹ字型のコネクタ１１２は、第２の長さ部分１１４の一部を、摩擦を介して摺動可能に受容し把持する第１の概ね矩形のチャネル１１８を規定していることが分かる。加えて、第２のＹ字型のコネクタ１１６は、第１の長さ部分１１０の一部を、摩擦を介して摺動可能に受容し把持する第２の概ね矩形のチャネル１２０を規定していることも分かる。第１の部分１１０の第２の部分１１６への接続により、本体１２が形成される。有利には、Ｙ字型の第１および第２のコネクタ１１２、１１６の各々は、第１および第２のチャネル１１８、１２０とそれぞれの第２および第１の長さ部分１１４、１１０との間の摩擦を解消して、ヘッドランプ１０の閉鎖構成における本体１２を規定する閉ループの全長（または周囲）を調整するために、それぞれの第２および第１の長さ部分１１４、１１０に沿って選択的に摺動させることができる。このような調整は、図７Ａおよび図７Ｂに見ることができる。図７Ａでは、第１および第２のＹ字型のコネクタ１１２、１１６を第１の長さだけ分離して、装着者の頭部に固定されるように適合される本体１２の第１の全長を規定するように、第１および第２のコネクタ１１２、１１６は、装着者によって操作され、それぞれの第２および第１の長さ部分１１４、１１０に沿って摺動されている。図７Ｂでは、第１および第２のコネクタ１１２、１１６を上述の第１の長さよりも長い第２の長さだけ分離して、図７Ａに示される第１の全長よりも短い第２の全長を規定する（それによって、図７Ａに示される第１の全長と比較して、装着者の頭部により緊密なフィット感を提供する）ように、第１および第２のコネクタ１１２、１１６は、装着者によってさらに操作され、それぞれの第１および第２の長さ部分１１４、１１０に沿ってさらに摺動されている。
【００５８】
図８Ａ〜図８Ｄを参照すると、本発明の代替の実施形態がヘッドランプ２００の形態で示されている。ヘッドランプ２００は、ヘッドランプ１０と多くの点で類似している。しかしながら、ヘッドランプ２００は、単一の連続的な閉ループとして形成される本体２１２を有し、閉ループは（ヘッドランプ１０のように）選択的に接続可能な第１および第２の端部を有する開放構成に再構成可能ではない。
【００５９】
本体２１２は、取り外し可能なスチールインサート（図示せず）を弾性的に可撓性のあるシリコーンゴムでオーバーモールドすることによって形成される。オーバーモールドプロセスの結果として、本体２１２は、その前部領域の近くにキャビティ２１４（図８Ｃ）と、キャビティ２１４に隣接する前部開口部２１６（図８Ｂ）とを含むように形成される。キャビティ２１４は、本体２１２の後面における後方開口部２１３（図８Ｃ）によってアクセス可能である。
【００６０】
ヘッドランプ２００はまた、概ね矩形の断面を有するケーシング２２０（図８Ｂ）を有する。図８Ｄを参照すると、ケーシング２２０は、第１、すなわち前部２２２と、第２、すなわち後部２２４とを含む。前部２２２は、ＬＥＤ２２８を含むＰＣＢ２２６の形態で光源を取り付けるように構成される。ＰＣＢ２２６は、ＰＣＢ２２６の前面に配置される３つの前面ＬＥＤ２２８と、ＰＣＢ２２６の対向する長手方向端部に配置され、ＰＣＢ２２６の前面に配置される前面ＬＥＤ２２８に概ね垂直に取り付けられる２つの側面ＬＥＤ２２８とを含む。３つの前面ＬＥＤ２２８は、主要な「スポットライト」ＬＥＤと、「広角」ＬＥＤと、夜間の読書に適した赤色ＬＥＤとを有する。ＰＣＢ２２６の対向する長手方向端部に配置される２つの側面ＬＥＤ２２８は、本体２１２の半透明および／または透明部分（図示せず）を通して光を向けるように構成される。具体的には、本体２１２は、好ましくは透明であり、かつ側部ＬＥＤ２２８からの光を本体の半透明および／または透明部分に向けるように構成される１以上のライトパイプ（図示せず）を含む。有利には、半透明および／または透明部分は、（前部ＬＥＤ２２８によって提供される前方照明に加えて）ヘッドランプ２００が装着者に対して側方および／または後方照明を提供するように、本体の周りに配置される。
【００６１】
ケーシング２２０の後部２２４は、再充電式リチウムイオンまたはリチウムポリマー電池２３０の形態で電源を取り付けるように構成される。前部２２２は、前部ＬＥＤ２２８からの光を屈折させるようにそれぞれ構成される３つの概ね円形のレンズ要素２３２を含む。前部２２０はまた、ＬＥＤ２２８の動作を制御するように構成される押しボタン２５０と、水および他の粒子からの侵入を防止するために押しボタン２５０を覆い密閉するための押しボタンシール２５２とを含む。
【００６２】
後部２２４は、電池接点２３１を介して電池２３０を再充電するために電力を受け取るための電気接点を備えた基板２３５を有するＵＳＢ−Ａコネクタ本体２３４を含む。前部２２２は、ケーシング２２０を形成するために後部２２２に固定的に接続される。図に示されるように、ケーシング２２０は、装着者の額の湾曲に近似するように、長手軸を中心に湾曲している。
【００６３】
本体２１２における前面開口部２１６（図８Ｂ）は、ケーシング２２０の前面から突出する３つの概ね円形のレンズ要素２３２を受容するように成形および寸法決めされる。同様に、本体２１２におけるキャビティ２１４（図８Ｃ）は、ケーシング２２０を受容するように成形および寸法決めされる。具体的には、キャビティ２１４は、ケーシング２２０の形状および寸法に類似するように成形および寸法決めされる。しかしながら、ケーシング２２０は、開口２１３よりも大きい断面を有し、それにより、開口２１３に隣接する本体２１２の部分は、ケーシング２２０をキャビティ２１４内に解除可能に固定するように作用する。図８Ｃに示されるように、ケーシング２２０の後部２２４は、開口部２１３の形状および寸法に類似するように成形および寸法決めされる概ね矩形の突出部２３６を含み、それにより、ケーシング２２０がキャビティ２１４内に配置されるときに、突出部２３６は、開口部２１３を閉じる。
【００６４】
有利には、ケーシング２２０は、例えば、ケーシング２２０がキャビティ２１４から取り外されるときに、電池２３０の再充電を可能にするために、キャビティ２１４内に取り外し可能に受容可能である。加えて、ケーシング２２０は、代替ケーシング（図示せず）がキャビティ内に受容されることを可能にするように、取り外し可能に受容可能であってもよい。代替ケーシングは、例えば、ケーシング２２０に対して異なる光源および／または電源を含んでもよい。
【００６５】
ヘッドランプ２００はまた、本体２１２によって規定されるループの長さ（または円周）を調整するように構成されるクリップ２４０の形態の調整機構を含む。図８Ａを参照すると、ループの長さを調整するために、装着者は、ケーシング２２０を収容する本体２１２の部分と概ね反対側のループの２つの部分を挟み込み、その後、クリップ２４０をループの挟み込み部分に取り付けてもよい。クリップ２４０は、図８Ａに示されるように、ループの２つの部分をそれぞれ受容し、かつ摩擦によって保持するように適合される２つの隣接するチャネル２４１（図８）を含む。
【００６６】
図９〜図１４を参照すると、本発明のさらなる代替の実施形態がヘッドランプ３００の形態で示されている。ヘッドランプ３００は、ヘッドランプ１０、２００と多くの点で類似しているが、後述するさらなる特徴を含んでいる。
【００６７】
ヘッドランプ３００は、単一の連続的な閉ループとして形成される本体３１２を有し、閉ループは、（ヘッドランプ１０のように）選択的に接続可能である第１および第２の端部を有する開放構成に再構成可能ではない。
【００６８】
本体３１２は、取り外し可能なスチールインサート（図示せず）を弾性的に可撓性のあるシリコーンゴムでオーバーモールドすることによって形成される。オーバーモールディングプロセスの結果として、本体３１２は、ケーシングキャビティ３１４（図１０Ａ）、前面開口部３１６（図１０Ｂ）、およびアームキャビティ３１８（図１０Ａ）を含むように形成される。
【００６９】
図１０Ａを参照すると、ケーシングキャビティ３１４は、概ね矩形の断面を有するケーシング３２０を受容するように構成される。ケーシング３２０は、第１すなわち前部３２２と、第２すなわち後部３２４とを含む。前部３２２は、ＬＥＤ３２８を含むＰＣＢ３２６の形態で光源を取り付けるように構成される（図１０Ｂ）。後部３２４は、ＰＣＢ３２６およびＬＥＤ３２８からの熱を除去するように構成されるヒートシンク３３０を含む。前部３２２および後部３２４は、ネジ３４７によって固定的に接続され、ケーシング３２０を形成する。ネジ３４７はまた、ＰＣＢ３２６をケーシング３２０内に正確に配置して取り付けるように構成される。図に示されるように、ケーシング３２０は、装着者の額の湾曲に近似するように、長手軸を中心に湾曲している。ケーシング３２０は、接着剤によってキャビティ３１４内に固定される。
【００７０】
図示されていない代替の実施形態では、ケーシング３２０は、キャビティ３１４内に取り外し可能に取り付けられてもよい。図示されていないさらなる代替の実施形態では、ケーシング３２０の前部３２２およびアーム３６０（後述）は、本体３１２に対して一体化され、取り外し不可能になるようにオーバーモールドされてもよい。オーバーモールディングプロセス後に、ＰＣＢ３２６および後部３２４は、ネジ３４７を介して前部３２２に固定されてもよい。
【００７１】
図１０Ｂを参照すると、前部３２２は、４つの概ね円形のレンズ要素３３２と、湾曲した端部を有する概ね矩形のレンズ要素３３３とを含み、レンズ要素３３２、３３３はそれぞれ、ＬＥＤ３２８からの光を屈折するように構成される。ヘッドランプ３００は、上述されかつ図５Ｂに示されるヘッドランプ１０と同じＬＥＤ照明配置および特徴を含む。前部３２０はまた、ヘッドランプ１０に関して上述したのと同様に、ＬＥＤ３２８の動作を制御するように構成される２つの概ね円形の選択的に作動可能な押しボタン３５０（図９Ａ）、３５２を含む。本体３１２の前面開口部３１６は、４つの概ね円形のレンズ要素３３２および概ね矩形のレンズ要素３３３を受容するように成形および寸法決めされる。
【００７２】
図１０Ａおよび図１０Ｂを参照すると、本体３１２は、再充電式リチウムイオンまたはリチウムポリマー電池３４０の形態の電源を解除可能に取り付けるように構成される。電池３４０は、前部３４４と後部３４６とを有した概ね矩形のハウジング３４２内に配置され、前部および後部３４４、３４６は、固定的に接続されている。
【００７３】
図に示されるように、ハウジング３４２は、装着者の頭部の湾曲に近似するように、長手軸を中心に湾曲している。したがって、電池３４０もまた、電池ハウジング３４２の湾曲を収容するために、その長手軸を中心に湾曲している。湾曲した電池３４０を利用することによって、ケーシング３２０内に配置される電池３４０によって提供される電力量を最大化することができ、その一方で、本体３１２の滑らかで流線形の形態を維持することもできる。
【００７４】
電池ハウジング３４２の後部３４６は、ハウジング３４２の長手軸に対して概ね横方向に延びる概ねピル型の突出部３４８（図１１Ａ）を含む。突出部３４８は、以下に詳細に説明するように、アーム３６０内に配置される相補的な凹部３６２内に解除可能に着座するように構成される。したがって、電池ハウジング３４２は、ヘッドランプ３００を概ね連続的に使用することができるように、例えば、電池３４０を再充電すること、および／または電池ハウジング３４２を別の電池ハウジング（図示せず）に置き換えることを可能にするために、本体３１２から取り外し可能である。図９Ａ、図９Ｂ、および図１１Ｂに示されるように、電池ハウジング３４２がアーム３６０を介して本体３１２に取り付けられると、ヒートシンク３３０の上を空気が流れてヒートシンク３３０を冷却するように、ヒートシンク３３０と電池ハウジング３４２との間に空間３３１が存在する。
【００７５】
再び図１０Ａおよび図１０Ｂを参照すると、電池ハウジング３４２は、ハウジング３４２の両端から外側に突出する二対の概ね円形のバネ接点３６４を含む。ばね接点３６４は、本体３１２内に配置される可撓性導体（図示せず）に電気的に接続するように構成される。可撓性導体は、本体３１２内に延び、ＬＥＤ３２８を含むＰＣＢ３２６に接続して、それによって、電池３４０から電気エネルギーを供給してＬＥＤ３２８に電力を供給する。
【００７６】
有利には、ヘッドランプ３００において、ケーシング３２０は、本体３１２の一部、具体的にはアーム３６０に対して手動で旋回可能であり、それにより、ＬＥＤ２２８によって提供される光の方向を選択的に調整してもよい。
【００７７】
上述したように、本体３１２は、一対の湾曲アーム３６０を含む。各アーム３６０の一部は、ケーシングキャビティ３１４の対向する長手方向端部に概ね隣接する本体３１２内に配置されるそれぞれのアームキャビティ３１８（図１０Ａ）内に固定される。アーム３６０はそれぞれ、その端部に、以下に説明する方法でケーシング３２０（図１２）とインターフェースするように構成される概ね円形の延長部３６６（図１０Ａ）を含む。
【００７８】
図１３に示される部分断面を参照すると、概ね円形の延長部３６６は、概ね三角形の断面を有する突起または戻り止め部３８８を含む。三角形の突起３８８は、弾性的に可撓性であり、ケーシング３２０の外側側壁、特にケーシングの後部３２４の外側側壁に規定される複数の相補的な凹部３９０のうちの１つ内に着座するように構成される。突起３８８および凹部３９０は、突起３８８が凹部３９０内に配置される場合に、アーム３６０に対するケーシング３２０の位置が設定され、解除可能に係止されるように構成される。
【００７９】
概ね円形の延長部３６６はまた、ケーシング３２０の軸受面として作用し、それを中心に旋回または回転する。具体的には、延長部３６６は、概ね円形の外面３９２を含み、その一部はケーシング３２０の前部３２２の外壁内に配置される相補的な部分円形の切り欠き部３９４とインターフェースする。このようにして、ケーシング３２０は、凹部３９０内の突起３８８の位置に従って、円形の延長部３６６を中心に旋回または回転することができる。
【００８０】
上述したように、複数の凹部３９０のうちの１つから複数の凹部３９０のうちの隣接する１つへ突起３８８を移動させ、それによってアーム３６０に対するケーシング３２０の位置を調整するために最小の力が必要とされるように、突起３８８は、概ね弾性的に可撓性である。凹部３９０は、ケーシング３２０がアーム３６０に対して約±２０°まで旋回できるように、ケーシング３２０の後部３２４の外壁に規定される。図１４Ａおよび図１４Ｂは、アーム３２０に対するケーシング３２０の旋回の範囲を示す。有利には、本体３１２の弾性的に可撓性のある性質のために、ケーシング３２０は、装着者の頭部の周りに配置される本体３１２のフィット感および感触に著しく影響を及ぼすことなく旋回させることができる。ケーシング３２０を旋回させるために、装着者は、ケーシング３２０が配置される本体３１２の部分を掴み、ケーシング３２０を所望の位置まで回転させるだけでよい。ケーシング３２０は、突起３８８が複数の凹部３９０のうちの１つ内に配置される場合、所定の位置に解除可能に係止されることになる。
【００８１】
有利には、アーム３６０に対するケーシング３２０の位置を選択的に手動で調整することによって、ＬＥＤ３２８によって提供される光の方向を調整してもよい。
【００８２】
図示されていないが、ヘッドランプ３００の本体３１２は、ヘッドランプ１０および２００に関連して上述した機構などの調整機構を有することによって、異なる装着者に合わせるように、長さが調整されてもよい。
【００８３】
上述したように、本発明は、全体的な形態が審美的に満足のいく、概ね滑らかなヘッドランプ１０、２００、３００を提供する。これらのヘッドランプは、ヘッドランプの種々の構成要素を配置することができ、装着者の頭部を少なくとも部分的に取り囲むことによって装着者の頭部に固定されるように適合される、弾性的に可撓性のある本体を含む。
【００８４】
本明細書において開示されて規定された本発明は、本文または図面から明らかであるかまたは言及された個々の特徴の２以上の別の組み合わせの全てに及ぶことが理解されるであろう。これらの異なる組み合わせの全ては、本発明の様々な別の態様を構成する。
【図１】
2021523533.tif 000003
【図２】
2021523533.tif 000004
【図３】
2021523533.tif 000005
【図４Ａ】
2021523533.tif 000006
【図４Ｂ】
2021523533.tif 000007
【図５Ａ】
2021523533.tif 000008
【図５Ｂ】
2021523533.tif 000009
【図６Ａ】
2021523533.tif 000010
【図６Ｂ】
2021523533.tif 000011
【図７Ａ】
2021523533.tif 000012
【図７Ｂ】
2021523533.tif 000013
【図８Ａ】
2021523533.tif 000014
【図８Ｂ】
2021523533.tif 000015
【図８Ｃ】
2021523533.tif 000016
【図８Ｄ】
2021523533.tif 000017
【図９Ａ】
2021523533.tif 000018
【図９Ｂ】
2021523533.tif 000019
【図１０Ａ】
2021523533.tif 000020
【図１０Ｂ】
2021523533.tif 000021
【図１１Ａ】
2021523533.tif 000022
【図１１Ｂ】
2021523533.tif 000023
【図１２】
2021523533.tif 000024
【図１３】
2021523533.tif 000025
【図１４Ａ】
2021523533.tif 000026
【図１４Ｂ】
2021523533.tif 000027
【国際調査報告】
2021523533.tif 000028
2021523533.tif 000029
2021523533.tif 000030
2021523533.tif 000031